(57)【特許請求の範囲】
【請求項１】
監視画面の作成操作を行う操作装置、表示装置、制御装置、並びに監視対象設備とシンボルが定義付けられたデータ及び監視画面に表示される監視対象設備を１監視画面毎にグループ分けしたデータが記憶されている記憶装置を備えた監視画面作成装置において、
操作装置により監視画面作画開始操作が行われると、制御装置は、表示装置の画面にグループ表示領域、シンボル表示領域、作画領域を表示し、操作装置からグループ指定信号を受信すると、前記記憶装置から指定されたグループに属するシンボル全てを前記シンボル表示領域に表示すると共にグループ表示領域に指定されたグループを表示し、さらに前記制御装置は、操作装置による前記シンボルの作画領域への移動操作に際して、前記シンボルの前記シンボル表示領域での表示を消去することを特徴とする監視画面作成装置。
【請求項２】
請求項１記載の監視画面作成装置において、前記制御装置は、さらに作画領域に移動されたシンボルが作成領域から消去されたときは、消去されたシンボルをシンボル表示領域に再表示する制御機能を備えたことを特徴とする監視画面作成装置。
【請求項３】
請求項１記載の監視画面作成装置において、前記記憶装置に記憶されているデータとして、さらに集約された複数の設備とその集約シンボルのデータ、集約シンボルと監視対象設備とが定義付けられたデータが記憶されていることを特徴とする監視画面作成装置。
【請求項４】
請求項１または２記載の監視画面作成装置において、前記記憶装置に記憶されているデータとして、さらに、複数のシンボルとその配置関係のテンプレートデータ、テンプレートと監視対象設備とが定義付けられたデータが記憶されていることを特徴とする監視画面作成装置。
【発明の詳細な説明】
【技術分野】
【０００１】
本発明はプラントの設備、建物の設備等の稼働状態の確認、動作指示等を行う監視制御装置の当該稼働状態の確認、動作指示を行う監視制御画面の作成に関する技術である。
【背景技術】
【０００２】
従来プラント設備の監視は、表示装置の画面上に、監視対象となるポンプやセンサ等の各種設備を表すシンボルをその所定位置に表示し、当該シンボルに対するマウスクリック等の操作により監視対象の設備情報、又は関連するグラフィック画面等を開いて監視制御を行っていた。
当該監視制御のためには、シンボルと、当該シンボルに対応する設備の情報、又はグラフィック画面との関係を定義付ける必要があり、その定義付けは、シンボルを作画画面上に配置し、作画画面上のシンボルと設備データとの関係を使用者が定義する形で従来行っていた（特許文献１参照）。
【特許文献１】特開２００２−１４９２３６号公報
【発明の開示】
【発明が解決しようとする課題】
【０００３】
従来例に示されるような、画面上にシンボルを配置した後に設備との結び付けの属性を定義する手法は、画面上に表示した必要なシンボル全てについて、定義されているか、定義されていないシンボルが存在するか否かについて全シンボルに対するチェックの負担があった。
また、画面上に表示されるシンボルは、設備と常に一対一の関係に限らず、ひとつのシンボルに対して複数の設備の情報を集約して表示する場合があり、その場合は複数の設備に対する結び付けを行い、プログラムで表示内容を決定する必要があり、当該決定が適切に決定されているか否かチェックする負担があった。
さらに、画面上で２のシンボルが同じ位置関係で配置されることがあり、その場合は配置関係のルールを守って配置する必要があるので、当該ルールに則って配置されているか否かチェックすることとなるが、従来のように順次配置すると当該相対位置関係が崩れた位置関係で配置されているかいないかをチェックする負担があった。
【０００４】
そこで、本発明は、上記課題である定義漏れ、設備の配置関係の崩れ等のチェックを不要として監視画面作成の労力を軽減した監視画面作成装置を提供することにある。
【課題を解決するための手段】
【０００５】
本発明は上記課題を解決するため、次のような手段を採用した。
監視画面の作成操作を行う操作装置、表示装置、制御装置、並びに監視対象設備とシンボルが定義付けられたデータ及び監視画面に表示される監視対象設備を１監視画面毎にグループ分けしたデータが記憶されている記憶装置を備えた監視画面作成装置において、操作装置により監視画面作画開始操作が行われると、制御装置は、表示装置の画面にグループ表示領域、シンボル表示領域、作画領域を表示し、操作装置からグループ指定信号を受信すると、前記記憶装置から指定されたグループに属するシンボル全てを前記シンボル表示領域に表示すると共にグループ表示領域に指定されたグループを表示し、さらに前記制御装置は、操作装置による前記シンボルの作画領域への移動操作に際して、前記シンボルの前記シンボル表示領域での表示を消去する。
【０００６】
前記監視画面作成装置において、前記制御装置は、さらに作画領域に移動されたシンボルが作成領域から消去されたときは、消去されたシンボルをシンボル表示領域に再表示する制御機能を備えた。
【０００７】
前記監視画面作成装置において、前記記憶装置に記憶されているデータとして、さらに集約された複数の設備とその集約シンボルのデータ、集約シンボルと監視対象設備とが定義付けられたデータが記憶されている。
【０００８】
前記監視画面作成装置において、前記記憶装置に記憶されているデータとして、さらに、複数のシンボルとその配置関係のテンプレートデータ、テンプレートと監視対象設備とが定義付けられたデータが記憶されている。
【発明の効果】
【０００９】
本発明は、１監視画面に必要なシンボルのみ、シンボル表示領域に表示させたものであるから、当該シンボル表示領域にシンボルが残っていれば、当該監視１画面にシンボルの配置忘れが存在し未完成であることが一目で認識でき、さらに作画領域にて誤ってドロップしたシンボルを消去しても、シンボル表示領域に再表示されるので、必要なシンボルが全て画面上に配置されているか否か詳細なチェックを不要とする効果を奏する。
また、定義付けされたシンボルを用いるので、定義付け忘れの可能性がなくなってチェックの負担が軽減できる効果を奏する。
【発明を実施するための最良の形態】
【００１０】
以下、本発明の実施の形態を図１乃至図９を用いて説明する。
図１は、本発明の監視制御画面作成装置のブロック構成図で、制御装置（１００）、記憶装置（２００）、表示装置（３００）、操作装置（４００）等から構成されている。
【００１１】
制御装置（１００）は、Ｉ／Ｏ（１０７）、ＣＰＵ（１０６）、シンボルと設備との関係を定義するシンボル定義手段（１０１）、監視対象設備について、その設備種別、設備が表示される監視画面が同一であることを示すグループ名、表示位置座標等の監視対象設備のデータを作成して記憶する設備データ入力手段（１０２）、監視対象設備を集約するときの集約状態を定義する集約情報定義手段（１０３）、設備種別とその配置が予め規定されたテンプレートに対して、適用する監視対象設備を定義するテンプレート定義手段（１０４）、表示装置の画面上で監視画面を作成、記憶する作画手段（１０５）から構成される。
【００１２】
また、前記記憶手段（２００）は、プラントの設備に関わる情報を格納する設備データ格納部（２０１）、設備の種別に対応したシンボルの情報を格納する設備シンボル格納部（２０２）、集約設備の種類毎に対応したシンボルを格納する集約種別シンボル格納部（２０３）、テンプレートの種類毎に設備とその配置座標情報を格納するテンプレート種別格納部（２０４）、監視対象設備の集約情報を格納する集約情報格納部（２０５）、監視対象設備のテンプレート情報を格納するテンプレート情報格納部（２０６）、作画操作による監視制御画面作成データを記憶する作画データ格納部（２０７）等から構成されている。
【００１３】
記憶装置（２００）に記憶されているデータの詳細について順次説明する。
設備データ格納部（２０１）について説明する。
設備データ格納部（２０１）は、プラントの設備に関わる情報が格納されており、その具体的データ構造について図６を用いて説明する。
監視対象設備Ｎｏ（６０１）毎に、その設備（例えばポンプ、センサ等）の固有名称である監視対象設備名称（６０２）と、当該名称（６０２）毎に、ポンプであるかセンサであるか等の設備種別（６０３）、単一の監視画面に同時に表示されるグループであるか否かの画面グループ名（６０４）、及び監視画面に当該各設備が表示されるときの当該設備のＸＹ座標データ（６０５、６０６）が記憶されている。
【００１４】
設備シンボル格納部（２０２）について説明する。
設備シンボル格納部（２０２）には、図３に示すように、設備種別Ｎｏ（３０１）毎にセンサ、ポンプ等の設備種別とシンボルとの関係が定義されて記憶されている。
集約シンボル格納部（２０３）について説明する。
集約シンボル格納部（２０３）には、図４に示すように、集約種別Ｎｏ（４０１）毎にセンサ、ポンプ等を集約した集約種別（４０２）と集約シンボル（４０３）との関係が定義されて記憶されている。
ここで言う集約とは、複数の設備、例えば複数のセンサが存在するとき、当該複数のセンサシンボルを表示することに換えて１のセンサシンボルで表示することを指す。
【００１５】
集約情報格納部（２０５）について説明する。
集約情報格納部（２０５）は、設備の集約情報が格納されており、その具体的データ構造について図７を用いて説明する。
集約種別Ｎｏ（７０１）毎に、監視すべきプラントに使用されるポンプ、センサ等の設備の内、集約対象とする設備が、設備データ格納部（２０１）に記憶されている「監視対象設備Ｎｏ」を以て監視対象設備欄（７０３、７０３）にて定義付けられ、さらに、ドラッグ＆ドロップによって監視画面に当該各設備が表示されるとき取得するＸＹ座標表示データ（７０５、７０６）が記憶される。
また、監視対象設備欄（７０３、７０３）は、集約する設備の数に応じて拡張可能である。
【００１６】
テンプレート種別格納部（２０４）について説明する。
テンプレート種別格納部（２０４）には、図５に示されるように、テンプレート種別Ｎｏ（５０１）毎に、プラントに使用される頻度の高い、例えば、ポンプとセンサの組合せ等複数の設備種別（５０３）の組み合わせを示すテンプレート名称（５０２）、及び当該複数の設備間の相対配置を示すＸＹ座標データ（５０４、５０６）が記憶されている。
また、設備種別欄（５０３）は、テンプレートを構成する設備の数に応じて拡張可能である。
【００１７】
テンプレート情報格納部（２０６）には、テンプレート情報が格納されており、その具体的データ構造について図８を用いて説明する。
監視すべ設備のポンプ、センサ等に適用されるテンプレートは、適用テンプレート種別Ｎｏ欄（８０１）のテンプレート種別Ｎｏと、監視対象設備種別欄（８０３，８０４）の監視対象設備Ｎｏにて定義され、さらに、ドラッグ＆ドロップによって監視画面に当該テンプレートが表示されるとき取得するＸＹ座標データ（８０５、８０６）が記憶されている。
【００１８】
作画手段（１０５）について図９を用いて説明する。
図９は、表示装置（４００）の作画画面であり、作画画面（９０１）は、画面グループ指定領域（９０２）、シンボル表示領域（９０３）、作画領域（９０４）の３つの領域から構成されている。
画面グループ指定領域（９０２）には操作装置（４００）で指定されたグループ名が表示されると共に、当該画面グループに含まれる全てのシンボルは定義づけされた状態でシンボル表示領域（９０３）に表示され、当該シンボル表示領域（９０３）に表示されたシンボルを作画領域（９０４）にドラッグ＆ドロップすることにより監視制御画面が作成される。
【００１９】
次に、本発明の動作を、図２の作業フローに従って説明する。
操作装置を操作して監視制御画面の作成を開始し（Ｓ１）、監視制御に要するポンプ、センサ等の各種設備種別とシンボルとを定義づけて設備シンボル格納部（２０１）に格納（Ｓ３）し、監視制御に要するポンプ、センサ等の各種設備を、複数の同種設備を纏めて、例えば、集約センサ１のように集約設備毎に、集約シンボルと定義づけ、集約シンボル格納部（２０３）に格納する。
さらに、監視制御に要するポンプ、センサ等の各種設備の組合せ、及び当該各設備間の相対的配置が規定されたテンプレートを作成してテンプレート種別格納部（２０４）に格納する（Ｓ４）。
【００２０】
次いで、設備データ入力手段（１０２）が、監視制御の対象とする個々の設備について、その監視対象設備Ｎｏ（６０１）とその名称（６０２）、設備種別Ｎｏ（６０３）、画面グループ（６０４）、その表示座標（６０５，６０６）を定義して設備データ格納部（２０１）に格納し（Ｓ５）、集約情報定義手段（１０３）が、集約種別（４０１）毎に、当該集約される設備について、設備データ格納部（２０１）の監視対象設備Ｎｏ（６０１）にて定義、例えば、集約センサ１（７０２）を構成する監視制御対象の設備である、監視対象設備Ｎｏ３，Ｎｏ４（７０３，７０４）を定義して集約情報格納部（２０５）に格納し（Ｓ６）、
テンプレート定義手段（１０４）が、テンプレート種別Ｎｏ（８０２）毎に、当該テンプレート名称（８０２）、監視対象設備Ｎｏ（８０３、８０４）の定義、例えば、テンプレート名称が「ポンプ＆センサ」（８０２）のとき、当該テンプレートを構成する設備種別Ｎｏ（５０３）について、監視対象設備Ｎｏで定義し、その表示座標データと共にテンプレート情報格納部２０６に格納する（Ｓ７）。
【００２１】
次に、作画手段（１０５）にて監視画面の作画をおこなう（Ｓ８）。
すなわち、
操作装置（４００）が作画操作を行うと、ＣＰＵ（１０６）は、作画手段（１０５）を制御して前記操作指示された画面グループ（６０５）、例えばグループＡが操作されると、グループ表示領域（９０２）にＡを表示し、シンボル表示領域（９０３）には画面グループＡに属するシンボルが定義付けられて表示される。次いで当該表示されたシンボルを作画領域（９０４）にドラッグ＆ドロプすると、当該ドロップ位置の座標データを取込み、設備データ格納部（２０１）のＸ座標（６０５）、Ｙ座標（６０６）、集約情報格納部（２０５）のＸ座標（７０５）、Ｙ座標（７０６）、テンプレート情報格納部（２０６）のＸ座標（８０５）、Ｙ座標（８０６）に書き込み、シンボル表示部のシンボルが無くなるまで行って監視制御画面を作成し、当該制御画面のデータを作画データ格納部（２０７）に格納すると共に表示装置（４００）に表示する。
このときシンボルを取り違えて配置したときは、当該シンボルを消去することにより、当該消去されたシンボルが再びシンボル表示領域（９０３）に表示され（Ｓ８）、シンボル表示領域にシンボルが無くなったら監視画面作成操作を終了する（Ｓ９）。
【００２２】
前記実施例によれば、監視画面作成に際しては、１監視画面に表示されるシンボルのみ、シンボル表示領域に表示させたものであるから、監視画面作成完了時に、当該シンボル表示領域にシンボルが残っていればシンボルの配置忘れが存在していることが一目で認識できるので、配置忘れのチェックが軽減され、また、定義付けされたシンボルを用いるので、定義付け忘れの可能性がなくなって、定義漏れをチェックする必要が無くなる効果を有する。
【図面の簡単な説明】
【００２３】
【図１】監視制御画面作成装置のブロック図
【図２】作業フロー図
【図３】設備種別とシンボルとの定義テーブル
【図４】集約種別とシンボルとの定義テーブル
【図５】テンプレート種別とシンボルとの定義テーブル
【図６】設備情報記憶テーブル
【図７】集約情報記憶テーブル
【図８】テンプレート情報記憶テーブル
【図９】作画画面
【符号の説明】
【００２４】
１００  制御装置
１０１  シンボル定義手段  
１０２  設備データ入力手段
１０３  集約情報定義手段
１０４  テンプレート定義手段
１０５  作画手段
１０６  ＣＰＵ
１０７  Ｉ／Ｏ
２００  記憶手段
２０１  設備データ格納部
２０２  設備シンボル格納部
２０３  集約種別シンボル格納部
２０４  テンプレート種別格納部
２０５  集約情報格納部
２０６  テンプレート情報格納部
２０７  作画データ格納部
３００  表示装置
４００  操作装置
【図１】
0004892509.tif 000002
【図２】
0004892509.tif 000003
【図３】
0004892509.tif 000004
【図４】
0004892509.tif 000005
【図５】
0004892509.tif 000006
【図６】
0004892509.tif 000007
【図７】
0004892509.tif 000008
【図８】
0004892509.tif 000009
【図９】
0004892509.tif 000010